(57)【要約】【課題】横編機を用いて、第一編地部と第二編地部とを適正な位置に保持して、編成後に行われるセット作業の作業性を改善することができる編地の編成方法を提供する【解決手段】横編機を用いて、ベース編地を構成する第一編地部と第二編地部とを並行してベース糸で編成する編地の編成方法である。この方法は、ベース編地を編成する過程に、第一編地部と第二編地部の各々から選択された結束対象編目にベース糸とは別の挿入糸を絡める過程を含む。この挿入糸を絡める過程では、少なくとも一つの結束対象編目を前後の針床間で往復させる目移しと、この結束対象編目への挿入糸の往復連行とを組み合わせて行う。ベース編地の編成の進行に伴って、結束対象編目に挿入糸を絡める過程をベース編地の異なるコースに位置する他の結束対象編目にも繰り返し行い、第一編地部と第二編地部とを挿入糸により仮止めする。【選択図】図３
2008261074.tif 000002
【特許請求の範囲】
【請求項１】
少なくとも前後一対の針床を有し、前後の針床間で編目の目移しが可能な横編機を用いて、ベース編地を構成する第一編地部と第二編地部とを並行してベース糸で編成する編地の編成方法であって、
ベース編地を編成する過程に、第一編地部と第二編地部の各々から選択された結束対象編目にベース糸とは別の挿入糸を絡める過程を含み、
この挿入糸を絡める過程では、少なくとも一つの結束対象編目を前後の針床間で往復させる目移しと、この結束対象編目への挿入糸の往復連行とを組み合わせて行い、
ベース編地の編成の進行に伴って、結束対象編目に挿入糸を絡める過程をベース編地の異なるコースに位置する他の結束対象編目にも繰り返し行い、
第一編地部と第二編地部とを挿入糸により仮止めすることを特徴とする編地の編成方法。
【請求項２】
第一編地部と第二編地部における両結束対象編目を同時に往復目移しし、一回の挿入糸の往復連行で両結束対象編目に挿入糸を絡めることを特徴とする請求項１に記載の編地の編成方法。
【請求項３】
前記結束対象編目の往復目移しと、挿入糸の往復連行とを、第一編地部の結束対象編目と第二編地部の結束対象編目の夫々に行うことを特徴とする請求項１に記載の編地の編成方法。
【請求項４】
第一編地部と第二編地部との間に開き部を備え、
第一編地部における開き部近傍の編目と、第二編地部における開き部近傍の編目とを結束対象編目とし、
前記開き部を前後の針床の一方に配置して各編地部の編成を行うことを特徴とする請求項２または３に記載の編地の編成方法。
【請求項５】
第一編地部と第二編地部との間に開き部を備え、
第一編地部における開き部近傍の編目と、第二編地部における開き部近傍の編目とを結束対象編目とし、
前記開き部を前後の針床の間に配置して各編地部の編成を行うことを特徴とする請求項２または３に記載の編地の編成方法。
【請求項６】
第一編地部を一方の針床に、第二編地部を他方の針床に配し、
各編地部の編幅方向の中間に位置する編目を結束対象編目とすることを特徴とする請求項２または３に記載の編地の編成方法。
【発明の詳細な説明】
【技術分野】
【０００１】
本発明は、右前身頃と左前身頃の間に開き部を有するカーディガンなどを編成する際に、開き部を挟む編地部同士を仮止めすることに好適な編地の編成方法に関する。
【背景技術】
【０００２】
開き部を有する編地の編成方法として、特許文献１に記載の方法が知られている。この方法は、少なくとも前後一対の針床を有する横編機を用いて編地を編成する方法で、例えば、Ｃ字状に編地を編成することで、後身頃、右前身頃および左前身頃が連続し、かつ右前身頃と左前身頃との間に開き部が形成された編地を編成することができる。
【０００３】
【特許文献１】ＷＯ２００２／０７０８００号公報
【発明の開示】
【発明が解決しようとする課題】
【０００４】
しかし、従来の開き部を有する編地の編成方法では、開き部を挟んだ左右の前身頃の間に格別の処理がなされておらず、右前身頃と左前身頃は互いに独立されているため、セット作業が煩雑になる。
【０００５】
通常、編み上がった編地は、洗濯した後、スチームやアイロンがけによるセット作業が行われる。ところが、編地の開き部近傍、例えば右前身頃と左前身頃の側縁部は、カールして巻き癖がつき易い。また、洗濯された編地は若干縮むため、編目の大きさが不均一となり易く、編地の形状も安定しないことがある。そのため、セット作業時、編地の巻き癖や形状を整える手作業が必要になって、セット作業の作業性が低下することになる。
【０００６】
また、開き部を持たず、身頃が筒状に形成されたセーターにおいて、例えば、撚り合わされた糸で編地を編成した場合など、編成された身頃によじれができてしまい、前身頃と後身頃が適正に対面した状態とならない場合がある。そのような場合も、セット作業時に、身頃のよじれを修正する手作業が必要になり、やはりセット作業の作業性が阻害されることになる。
【０００７】
本発明は、上記の事情に鑑みてなされたもので、その目的の一つは、編地部同士を適正な位置に保持して、セット作業の作業性を改善することができる編地の編成方法を提供することにある。
【課題を解決するための手段】
【０００８】
本発明は、少なくとも前後一対の針床を有し、前後の針床間で編目の目移しが可能な横編機を用いて、ベース編地を構成する第一編地部と第二編地部とを並行してベース糸で編成する編地の編成方法であって、ベース編地を編成する過程に、第一編地部と第二編地部の各々から選択された結束対象編目にベース糸とは別の挿入糸を絡める過程を含む。この挿入糸を絡める過程では、少なくとも一つの結束対象編目を前後の針床間で往復させる目移しと、この結束対象編目への挿入糸の往復連行とを組み合わせて行う。そして、ベース編地の編成の進行に伴って、結束対象編目に挿入糸を絡める過程をベース編地の異なるコースに位置する他の結束対象編目にも繰り返し行い、第一編地部と第二編地部とを挿入糸により仮止めすることを特徴とする。
【０００９】
本発明は、第一編地部と第二編地部における両結束対象編目を同時に往復目移しし、一回の挿入糸の往復連行で両結束対象編目に挿入糸を絡めることが好ましい。
【００１０】
本発明は、前記結束対象編目の往復目移しと、挿入糸の往復連行とを、第一編地部の結束対象編目と第二編地部の結束対象編目の夫々に行ってもよい。
【００１１】
本発明は、第一編地部と第二編地部との間に開き部を備え、第一編地部における開き部近傍の編目と、第二編地部における開き部近傍の編目とを結束対象編目とし、前記開き部を前後の針床の一方に配置して各編地部の編成を行うことが挙げられる。
【００１２】
本発明は、第一編地部と第二編地部との間に開き部を備え、第一編地部における開き部近傍の編目と、第二編地部における開き部近傍の編目とを結束対象編目とし、前記開き部を前後の針床の間に配置して各編地部の編成を行うことが挙げられる。
【００１３】
本発明は、第一編地部を一方の針床に、第二編地部を他方の針床に配し、各編地部の編幅方向の中間に位置する編目を結束対象編目とすることが挙げられる。
【発明の効果】
【００１４】
本発明方法によれば、ベース編地を編成しながら、第一編地部と第二編地部とを挿入糸により仮止めすることができるため、各編地部の配置を適正に保持することができる。そのため、編成終了後において、ベース編地の巻き癖の発生を抑制したり、ベース編地の形状の安定性を高めることができ、後工程で行われるセット作業の作業性を改善することができる。また、挿入糸は、ベース編地が最終製品となった際に除去することで、第一編地部と第二編地部との仮止め状態を容易に解除することができる。
【００１５】
本発明によれば、一回の挿入糸の往復連行で、第一編地部と第二編地部における両結束対象編目に一括して挿入糸を絡めることができるため、結束対象編目同士を挿入糸で効率的に結束することができる。
【００１６】
本発明によれば、第一編地部の結束対象編目と第二編地部の結束対象編目の個々に対して、確実に挿入糸を掛けることができる。
【００１７】
本発明によれば、開き部を有するベース編地を編成する際に、各編地部のうち、巻き癖の発生しやすい開き部近傍同士を挿入糸で仮止めすることができる。特に、この方法は、一回の挿入糸の往復連行で、第一編地部と第二編地部における両結束対象編目に一括して挿入糸を絡めることに好適に利用できる。
【００１８】
本発明によれば、開き部を有するベース編地を編成する際に、各編地部のうち、巻き癖の発生しやすい開き部近傍同士を挿入糸で仮止めすることができる。特に、この方法は、第一編地部と第二編地部の同一コースから選択した結束対象編目同士を挿入糸で結束することに好適に利用できる。
【００１９】
本発明によれば、例えば筒状編地の対向する編地部同士を所定の位置関係に仮止めすることが容易にできる。
【発明を実施するための最良の形態】
【００２０】
以下、本発明の構成をより詳しく説明する。
【００２１】
＜第一編地部と第二編地部＞
第一編地部と第二編地部は、ベース糸で並行して編成され、最終製品において互いの位置関係が予め決定されている編地部分である。各編地部は、最終製品において一体となればよく、編成過程では一体となっていても個別になっていても構わない。これら第一編地部と第二編地部は、ベース編地の一部又は全部を構成する。また、各編地部の編成は、平編み、ゴム編、ガーター編など、各種編組織を単独で又は組み合わせて行うことができる。なお、第一編地部と第二編地部を編成するベース糸は、同一のものであっても異なっていても構わない。
【００２２】
本発明方法で編成されるベース編地には、第一編地部と第二編地部との間に開き部がある場合と、開き部がなく両編地部が連続した場合がある。開き部のあるベース編地の代表例としては、前身頃が左右の身頃に分かれたカーディガンなどの身頃や、筒状編地の軸方向の一部にスリットが設けられた編地が挙げられる。開き部の数は単数でも複数でもよく、開き部が形成される向きも、コース方向沿い、ウェール方向沿い、コース（ウェール）方向に対して傾斜した方向沿いのいずれであっても構わない。開き部のないベース編地の代表例としては、前後の身頃が一体となった筒状編地が挙げられる。さらに、第一編地部と第二編地部は、横編み機における前後一対の針床のうち、一方の針床に並列して配されていても良いし、前後の針床に分かれて配されていてもよい。
【００２３】
＜結束対象編目＞
結束対象編目は、第一編地部と第二編地部の各々から選択されて、挿入糸で互いに結束される少なくとも一対の編目である。第一編地部から選択される結束対象編目の数と、第二編地部から選択される結束対象編目の数とは同一であっても異なっても構わない。また、各結束対象編目は、第一編地部と第二編地部の同じコースに位置する編目同士としてもよいし、異なるコースに位置する編目同士としてもよい。第一編地部と第二編地部との間に開き部を有する場合、開き部近傍の編目を結束対象編目として選択することが好ましい。特に、開き部を構成する各編地部の側縁により近く、少ない数の編目（３つ以下程度）を結束対象編目として選択すれば、各編地部の側縁近傍での巻き癖の発生を効果的に抑制できる。その他、結束対象編目は、各編地部の編幅方向における中間の編目を選択してもよい。
【００２４】
＜挿入糸＞
挿入糸は、第一編地部と第二編地部とを仮止めすることに用いられる糸で、編み上がったベース編地が最終製品になった際には除去される糸である。挿入糸は、各編地部に編み込んでいないため、後工程で容易に除去できる。この挿入糸には、編地を編成するためのベース糸とは別の糸で、滑り性に優れる糸が好適に利用できる。特に、ベース糸に比べて細く、長手方向に亘って糸の径の均一性が高い糸が挿入糸として好ましい。また、第一編地部と第二編地部とを確実に仮止めしておきたいのであれば、挿入糸として、弾性糸を使用することも考えられる。挿入糸の代表例としては、抜き糸が挙げられる。抜き糸は、ベース編地の編み出しの際に使用するため、抜き糸を挿入糸とすれば、専用の挿入糸を用意する必要がない。その他、開き部が複数あるベース編地を編成する場合、複数の開き部を一本の挿入糸で閉じるようにしても良いし、開き部によっては異なる挿入糸で閉じるようにしてもよい。
【００２５】
＜挿入糸を結束対象編目に絡める過程＞
挿入糸を結束対象編目に絡める過程は、少なくとも一つの結束対象編目を前後の針床間で往復させる目移しと、その結束対象編目への挿入糸の往復連行とを組み合わせて行う。例えば、少なくとも一つの結束対象編目を往復目移しする間に、その結束対象編目への挿入糸の往路連行又は復路連行を行う。換言すれば、挿入糸を往復連行する間に、結束対象編目の周囲に挿入糸を掛ける。より具体的には、次の手順により、結束対象編目に挿入糸を絡めることが挙げられる。
（１）結束対象編目の往路目移し→挿入糸の往路連行→結束対象編目の復路目移し→挿入糸の復路連行
（２）挿入糸の往路連行→結束対象編目の往路目移し→挿入糸の復路連行→結束対象編目の復路目移し
【００２６】
挿入糸による結束対象編目同士の結束は、第一編地部と第二編地部の両結束対象編目が互いに分離しないように挿入糸でつながれていればよく、結束対象編目同士が重ね目されたり、編み込まれたりする必要はない。また、挿入糸とベース糸とは、各々針床の前後方向の異なる位置に設けられた給糸口を介して給糸されるが、結束対象編目に挿入糸を絡める過程を行う際、各々給糸口で往復連行される挿入糸とベース糸とが交差して絡まないように、ベース編地の開き部の針床上の位置に応じて、挿入糸とベース糸の各々に適正な給糸口を選択すればよい。
【００２７】
＜本発明方法の適用例＞
本発明方法の適用例には、次のものが含まれる。
（１）いわゆるＣ字状の編成により、後身頃と連続的に右前身頃と左前身頃を編成する場合、各前身頃を第一編地部と第二編地部とし、さらに各編地部に後身頃を加えた全体をベース編地として、挿入糸で左右の前身頃の間に形成される開き部を閉じる。
【００２８】
（２）筒状でない１枚の編地をそれぞれ右前身頃と左前身頃とし、その右前身頃と左前身頃とを並行して編成し、後に、これら前身頃を別に編成された後身頃と縫製で連結する場合、各前身頃を第一編地部、第二編地部とし、両前身頃をベース編地として、左右の各前身頃の側縁間に形成される開き部を挿入糸で閉じる。この場合、左右の前身頃は、一方の針床に配されていても、前後の針床に分かれて配されていても構わない。
【００２９】
（３）前身頃と後身頃とからなる筒状編地を、一方の身頃を前後の針床の一方に配し、他方の身頃を他方の針床に配して編成する場合、前身頃と後身頃を第一編地部、第二編地部とし、筒状編地全体をベース編地として、前後の身頃における任意の編目同士を挿入糸で結束する。例えば、各編地部の編幅方向の中間に位置する編目を結束対象編目として挿入糸で結束する。この場合、前後の身頃は、挿入糸で互いの位置がほぼ固定されるため、身頃のよじれや、前後の編地の編み下げ量の相違に伴う編地の型崩れを抑制することができる。
【００３０】
（４）筒状編地の一部に、ウェール方向に伸びるスリットを備える場合、スリットで隔てられる一方の編地部と他方の編地部を第一編地部および第二編地部とし、さらにこれら編地部に、筒状編地のうちスリットのない残部の編地部を加えたものをベース編地とする。そして、スリットを挟んだ第一編地部と第二編地部との間を挿入糸で仮止めする。
【００３１】
（５）身頃にポケット編地を有する製品を編成する場合、身頃とポケット編地とを第一編地部、第二編地部とし、両編地部全体をベース編地として、ポケットの開口縁の編目と身頃の編目を挿入糸で結束する。
【００３２】
＜横編み機＞
本発明の編成方法は、後述する実施例からも明らかなように、４枚ベッドの横編み機を用いることで行えるが、前針床、後針床からなる２枚ベッドの横編機を用いて行うこともできる。２枚ベッドの横編機を用いて編地を編成する場合は、一本おきに空針を設けた状態で編地を編成すればよい。また、２枚ベッドの横編機を用いる場合、前後針床の一方または両方の上位にトランスファージャックを列設したトランスファージャックベッドを設けて編地を編成するようにしてもよい。
【実施例１】
【００３３】
次に、本発明の実施例を図に基づいて説明する。本実施例では、左右方向に延び、かつ、前後方向に互いに対向する前後一対の針床を有し、後針床が左右にラッキング可能で、しかも、前後の針床間で編目の目移しが可能な４枚ベッドの横編機を用いて編地を編成する。
【００３４】
４枚ベッド横編機は、下部前針床と下部後針床の上に、下部の針床と同ピッチで多数の編針が列設された上部前針床と上部後針床を備えている。以下、下部前針床を単にＦＤと、下部後針床をＢＤと、上部前針床をＦＵと、上部後針床をＢＵという。
【００３５】
このＢＵの針は、ＦＤの針に係止される編目の目移しに用い、ＦＵの針は、ＢＤに係止される編目の目移しに用いる。編目の目移しに使用するＦＵおよびＢＵを用いることにより、リンクス、ガーター、リブなどの表目と裏目が混在した組織柄を編成したり、編目の回し込みや、編目の重ねを行うことができる。
【００３６】
本実施例で使用する横編機は、さらに、編機前面側から見て手前側（前側）に位置するガイドレール上に摺動可能に設けられる第一給糸口と、奥側（後側）に位置するガイドレール上に摺動可能に設けられる第二給糸口とを備える。本例では、図２に示すように、ベース編地の編成に第二給糸口７から給糸されるベース糸を使用し、編地部同士の仮止めに第一給糸口６から供給される抜き糸を用いる。
【００３７】
本実施例で用いる横編機では、針床上を移動し、編成に用いるカムシステムＳ２と、目移しに用いるカムシステムＳ１、カムシステムＳ３とが搭載された、いわゆる３カムシステムのキャリッジを備える。以下、カムシステムＳ１、カムシステムＳ２、カムシステムＳ３を単にＳ１、Ｓ２、Ｓ３という。編成工程において、キャリッジの進行方向の先行側からのカムシステムを常にＳ１、Ｓ２、Ｓ３としている。
【００３８】
これらカムシステムによりキャリッジの１回の往動または復動する間に、第二給糸口７から給糸されるベース糸でベース編地の編成を行うと共に、編地部同士の仮止めに必要な目移しを行うことができる。
【００３９】
本実施例では、以上の構成を備える横編機で、前身頃の中央に開き部を有し、この開き部をジッパーで閉じるようにした、いわゆるジップアップセーターを編成する。
【００４０】
図１は、本実施例で編成されるジップアップセーターにジッパーを取り付ける前の状態を示す図であり、（Ａ）は前身頃側から見た平面図、（Ｂ）は後身頃側から見た平面図である。ジップアップセーター１は、Ｖネックの長袖のセーターで、身頃、右袖４、左袖５を有している。身頃は、前身頃２と後身頃３とで形成されており、前身頃２と後身頃３とは連続した一つのベース編地になっている。但し、前身頃２は、その中央で編地が連続しない開き部９を有しており、右前身頃２４と左前身頃２５とに分けられる。
【００４１】
このセーター1を編成するには、前身頃２と後身頃３とを連続してＣ字状に編成し、また、左右の袖５、４を筒状に編成した後、身頃と袖４、５とを接合する。この接合部分においては、身頃と袖４、５を１つの連続した編地となるように編成して接合する。なお、本実施例では、身頃と袖の左右を表す用語、右前身頃２４や左前身頃２５、右袖４、左袖５などの右と左は、セーター１を着用した状態の着用者を基準にしている。
【００４２】
また、このセーター1は、身頃の後身頃３、右袖４および左袖５の後側編地部は、主としてＢＤを、空針を設けることなく総針状態で使用して編成される。身頃の前身頃２（右前身頃２４と左前身頃２５）、右袖４および左袖５の前側編地部は、主としてＦＤを、空針を設けることなく総針状態として編成される。
【００４３】
以下、本実施例の編成方法を図２の編成工程図に基づいて説明する。ここでは、ベース糸により平編みでＣ字状に編成されつつある前身頃のある部分において、開き部を挟んだ右前身頃（第一編地部）と左前身頃（第二編地部）とを抜き糸で仮止めしていく編成工程図が示されている。
【００４４】
図２の編成工程図及び後述する他の実施例の編成工程図（図４、５）において、説明の便宜上、身頃の編目の数は、実際の編成で使用される数よりも少ない。図２に示すアルファベットＡ〜Ｒは、前後に対向配置したＦＤ、ＢＤ、ＦＵ、ＢＵの針を示す。また、図２、４、５の各編成ブロックにおいて、左端の数字は編成ブロック番号を示し、その右隣の表記は、編成工程において使用するカムを示す。さらに、図２、４、５の右端欄の矢印は、編成方向を示している。この矢印の移動方向は、横編機の正面に立った作業者を基準にしている。
【００４５】
図２に示す編成ブロックＳは、身頃の編成途中の段階で、開き部の仮止めが開始される前の状態を示している。編成ブロックＳでは、ＦＤとＢＤの針Ｃ〜Ｎに編目が係止されて、身頃が編成されている状態を示している。ＦＤに係止されている編目は、前身頃２の編目であり、ＢＤに係止されている編目は後身頃３の編目である。ここで、図に示すように、ＦＤの針Ｈに係止される編目と、針Ｉに係止される編目とは直接繋がっておらず、この針Ｈと針Ｉとの間が、前身頃２の開き部９になる（図１）。つまり、ＦＤの針Ｃ〜Ｈに係止される編目が、右前身頃２４の編目であり、ＦＤの針Ｉ〜Ｎに係止される編目が、左前身頃２５の編目である。そして、針Ｈに係止される編目と針Ｉに係止される編目を結束対象編目とする。
【００４６】
図２の編成ブロック１では、まず、キャリッジを右方向に移動させ、第二給糸口７からＦＤにベース糸を給糸して、Ｓ２により左前身頃２５を１コース編成する。次いで、キャリッジを左方向に移動させ、第二給糸口７からＢＤにベース糸を給糸して、Ｓ２により後身頃３を１コース編成する。最後に、キャリッジを右方向に移動させ、第二給糸口７からＦＤにベース糸を給糸して、Ｓ２により右前身頃２４を１コース編成する。この編成ブロック１により、身頃の１コースが編成される。
【００４７】
次の編成ブロック２では、キャリッジを左方向に移動させて、第二給糸口７からＦＤにベース糸を給糸して、Ｓ２により右前身頃２４を１コース編成する。この編成ブロック２により、右前身頃２４のみ、他の身頃（３、２５）よりも１コース多い状態になる。
【００４８】
また、編成ブロック２では、Ｓ２よりも後方を走行するＳ３により、ＦＤの針Ｉ〜Ｃに係止される編目をＢＵの針Ｉ〜Ｃに順次目移しする（往路目移し）。目移しされた編目のうち、ＢＵの針Ｃ〜Ｈに係止される編目は右前身頃２４の編目であり、針Ｉに係止される編目のみ、左前身頃２５の編目である。
【００４９】
次の編成ブロック３では、まず、キャリッジを右方向に移動させて第一給糸口６から前後の針床の間に抜き糸を引き出す（往路連行）。このとき、第一給糸口６から給糸される抜き糸は、ニットもタックもされない。
【００５０】
さらに、編成ブロック３では、第一給糸口６の走行に遅れて、Ｓ３によりＢＵの針Ｈ、Ｉに係止される編目をＦＤの針Ｈ、Ｉにそれぞれ目移しする（復路目移し）。この目移しにより、第一給糸口６から前後の針床の間に給糸された抜き糸は、ニットやタックされることなく、ＦＤの針Ｈ、Ｉに係止される編目の根元に当接した状態になる。
【００５１】
次の編成ブロック４では、まず、キャリッジを左方向に移動させて、第一給糸口６を編地部の側方へ逃がす。この第一給糸口６の移動により、ＦＤの針Ｈ、Ｉに係止される結束対象編目に第一給糸口６から給糸された抜き糸が巻きつき、開き部９が閉じられた状態になる（復路連行）。つまり、一回の抜き糸の往復連行の際、左右の前身頃の各結束対象編目は同時に往復目移しされ、一括して抜き糸で結束されることになる。ここで、既に述べたように、ＦＤの針Ｈに係止される編目は、針Ｉに係止される編目よりも、１コース上の編目であるので、編目に巻きついた抜き糸は、編地を正面から見たときに、左前身頃２５から右前身頃２５に向かって斜め上方に渡る。
【００５２】
同じく編成ブロック４では、キャリッジの移動に伴い、Ｓ３により、ＢＵの針Ｇ〜Ｃに預けられていた編目をＦＤの針Ｇ〜Ｃに返す。このとき、抜き糸は、ＦＤで編成される編地の前方に押し出される。
【００５３】
次の編成ブロック５では、第二給糸口７からＢＤにベース糸を給糸して、Ｓ２により、後身頃３を１コース編成する。
【００５４】
そして、編成ブロック６では、第二給糸口７からＦＤにベース糸を給糸して、Ｓ２により、左前身頃２５を１コース編成する。この編成ブロック６と上記した編成ブロック５により、第一給糸口６および第二給糸口７の位置が、編成ブロックＳの状態に戻る。
【００５５】
その後、上述した編成ブロック１〜６を繰り返すことで、ベース編地を編成しながら、前身頃の縦方向に形成される開き部９（図１）を一本の抜き糸で閉じ、左右の前身頃２４、２５を仮止めすることができる。この抜き糸は、身頃の縦方向に向かって、前身頃に形成される開き部９を縫い取るようにジグザグに渡っていく。図３に、実施例１の編成方法で仮止めした編地部の画像を示す。但し、この画像の編地は、メッシュ編である。
【００５６】
以上のようにベース編地を編成することにより、ベース編地が編み上がったときに、開き部の左右に位置する編目（右前身頃の端部の編目と左前身頃の端部の編目）が抜き糸で連結されているので、ベース編地のセット作業が容易になる。例えば、編み上がったベース編地を洗濯して編地が縮んでも、左右前身頃の形状を揃えておけるし、開き部近傍の編地部がカールすることも抑制できる。そのため、ベース編地へのジッパーの取り付けや、セット作業を非常に容易に行なうことができ、製品の生産性を向上させることができる。特に、ジップアップセーターのように、開き部近傍に前立てがない製品の場合、開き部近傍の編地部の形状が安定し難いため、本発明方法により左右の前身頃を仮止めすることは有効である。
【００５７】
その他、上述した編成方法は、開き部が身頃に対して斜めに延びる場合であっても、開き部の間を仮止めすることができる。例えば、図２において、身頃の編成が進むに従って開き部の位置が、針Ｈと針Ｉとの間から針Ｉと針Ｊとの間、次いで、針Ｊと針Ｋとの間というように移動させることで、開き部が身頃に対して斜めに延びるように形成される。この場合、まず、図２の編成工程により針Ｈと針Ｉに係止される編目を連結し、開き部が針Ｉと針Ｊとの間に移動したときは、編成ブロック２でＦＤの針Ｃ〜Ｊの編目をＢＵに目移しし、次の編成ブロック３でＦＤに返す編目をＢＵの針Ｉと針Ｊに係止される編目とすれば良い。このように、開き部の移動に伴って、目移しする編目を適宜変更することによって、身頃に対して斜めに延びる開き部を抜き糸で閉じることができる。
【実施例２】
【００５８】
この実施例２では、ベース編地を編成する際に、編地の開き部が横編機の前後の針床間に位置する場合の編成方法を説明する。編成対象は開き部を有する筒状編地であり、以下の説明は、実施例１との相違点を中心に行う。
【００５９】
図４は、開き部を有する筒状編地のある部分において、平編みでＣ字状に編成された状態から開き部を仮止めしていく際の編成工程図である。本例では、針Ｃに係止される編目が結束対象編目となる。
【００６０】
図４に示す編成ブロックＳは、開き部を有する筒状編地の編成途中の段階で、開き部の仮止めが開始される前の状態を示している。編成ブロックＳでは、ＦＤとＢＤの針Ｃ〜Ｎに編目が係止されて、開き部を挟む編地部が編成されている状態を示している。ここで、図に示すように、ＦＤの針Ｃに係止される編目と、ＢＤの針Ｃに係止される編目とは直接繋がっておらず、この２つの針の間が編地の開き部が形成される箇所になる。
【００６１】
図４の編成ブロック１では、まず、キャリッジを右方向に移動させ、Ｓ１によりＦＤの針Ｃに係止される編目をＢＵの針Ｃに目移しする（往路目移し）。
【００６２】
また、編成ブロック１では、Ｓ１の移動に遅れてキャリッジにより第一給糸口６を移動させる。第一給糸口６は、前後の針床間に抜き糸を供給し、針Ｃに係止される編目よりも右側で後の編成で邪魔にならない位置（例えば、針Ｄ〜Ｅの近傍の位置）に置かれる（往路連行）。このとき、第一給糸口６から給糸される抜き糸は、ニットもタックもされない。
【００６３】
次の編成ブロック２では、キャリッジを左方向に移動させて、Ｓ１によりＢＵの針Ｃに預けられていた編目をＦＤの針Ｃに返す（復路目移し）。この目移しにより、第一給糸口６から前後の針床の間に給糸された抜き糸は、ニットやタックされることなく、ＦＤの針Ｃに係止される編目の根元に当接した状態になる。
【００６４】
また、編成ブロック２では、Ｓ１の移動に遅れてキャリッジにより第一給糸口６を編地の左方向へ移動させる。この第一給糸口６の移動により、ＦＤの針Ｃに係止される編目の根元に第一給糸口６から給糸された抜き糸が巻きついた状態になる（復路連行）。この段階で、開き部を挟む一方の編地部の結束対象編目に抜き糸が絡められたことになる。
【００６５】
次の編成ブロック３では、まず、キャリッジを右方向に移動させる。このキャリッジの移動は、給糸口の移動と編成を行わない空コースである。
【００６６】
空コースに続いて、編成ブロック３では、キャリッジを左方向に移動させ、第二給糸口７からＢＤにベース糸を給糸して、Ｓ２により、ＢＤの針Ｎから針Ｃまでを１コース編成する。
【００６７】
次の編成ブロック４では、まず、キャリッジを右方向に移動させ、第二給糸口７からＢＤにベース糸を給糸して、Ｓ２によりＢＤの針Ｃから針Ｎまでを１コース編成する。次いで、キャリッジを左方向に移動させ、第二給糸口７からベース糸をＦＤに給糸して、Ｓ２によりＦＤの針Ｎから針Ｃまでを１コース編成する。最後に、キャリッジを右方向に移動させ、第二給糸口７からＦＤにベース糸を給糸して、Ｓ２によりＦＤの針Ｃから針Ｎまでを１コース編成する。この編成ブロック４により、編成ブロック２で抜き糸を巻き付けた編目は、現在ＦＤの針Ｃに係止される編目の２コース下の位置になる（抜き糸は、点線で示す）。
【００６８】
そして、次の編成ブロック５では、まず、キャリッジを左方向に移動させ、ＢＤの針Ｃに係止される編目をＦＵの針Ｃに目移しする（往路目移し）。
【００６９】
このキャリッジの移動に続いて、編成ブロック５では、キャリッジを右方向に移動させる、いわゆる蹴り返しにより、第一給糸口６を、針Ｃに係止される編目よりも右側で次の編成ブロック６の編成で邪魔にならない位置（例えば、針Ｄ〜Ｅの位置）に移動させる（往路連行）。
【００７０】
次の編成ブロック６では、まず、キャリッジを左方向に移動させて、Ｓ１により、ＦＵの針Ｃに預けられていた編目をＢＤの針Ｃに返す（復路目移し）。この目移しにより、ＢＤの針Ｃに係止される編目の根元に抜き糸が絡まった状態になる。
【００７１】
また、編成ブロック６では、上記の目移しに遅れて、キャリッジの移動により第一給糸口６を編地の左方向に逃がす（復路連行）。この段階で、開き部を挟む他方の編地部の結束対象編目にも抜き糸が絡められたことになる。つまり、この編成ブロック６により、ＢＤの針Ｃと、現在ＦＤの針Ｃに係止される編目の２コース下にあるＦＤの針Ｃで編まれた編目とが一本の抜き糸により連結され、前後の編地部の間に形成されている開き部が、抜き糸で閉じられる。
【００７２】
そして、上述した編成ブロック１〜６を繰り返すことで、編地の縦方向に形成される開き部を一本の抜き糸で閉じ、開き部を挟む編地部同士を仮止めすることができる。この抜き糸は、ベース編地の縦方向に向かって、開き部を縫い取るようにジグザグに渡っていく。
【００７３】
以上のように結束対象編目の往復目移しと、抜き糸の往復連行とを、開き部を挟む編地部における結束対象編目の夫々に行ってベース編地を編成することにより、前後の針床に配された各編地部を、その端部近傍の位置で仮止めすることができる。
【実施例３】
【００７４】
次に、実施例２の変形例となる実施例３を図５に基づいて説明する。本例でも編成対象は実施例２と同じ開き部を有する筒状編地である。ここでは、開き部を挟む各編地部における同一コースに位置する編目同士を結束対象編目として抜き糸で結束する。以下の説明は、実施例２との相違点を中心に行う。
【００７５】
図５に示す編成ブロックＳ、１、２は、実施例２で参照した図４の編成ブロックＳ、１、２と同一である。
【００７６】
続く編成ブロック３では、ＢＤの針Ｃに係止される編目をＦＵの針Ｃに目移し（往路目移し）し、抜き糸を針Ｃに係止される編目の近傍に引き出す（往路連行）。
【００７７】
編成ブロック４では、ＦＵに預けられていた編目をＢＤの針Ｃに返す（復路目移し）。この目移しにより、一本の抜き糸が、ＦＤの針Ｃに係止される編目からＢＤの針Ｃに係止される編目に亘ってＳ字状に絡まった状態になる。
【００７８】
また、編成ブロック４では、復路目移しに遅れて、第一給糸口６を編地部の左方向に逃がす（復路連行）。この編成ブロック４により、両結束対象編目が抜き糸で結束され、前後の編地部が抜き糸で仮止めされた状態になる。
【００７９】
上述した編成ブロック１〜４が終了したら、ベース編地を数コース編成し、編成ブロック１〜４を繰り返す。これら編成ブロックの繰り返しにより、ベース編地のウェール方向に向かって、抜き糸で開き部を縫い取るように閉じ、開き部を挟む編地部同士を仮止めすることができる。
【００８０】
このように、本例の方法によれば、開き部を挟む編地部同士の同一コースに位置する編目同士を抜き糸で結束することができる。
【産業上の利用可能性】
【００８１】
本発明の編地の編成方法は、前身頃に開き部を有する編地などを編成する際に、左右の前身頃同士を挿入糸で仮止めすることに好適に利用できる。
【図面の簡単な説明】
【００８２】
【図１】本発明方法で編成されるジップアップセーターの一例を示す平面図であって、（Ａ）は前身頃側から見た状態を、（Ｂ）は後身頃から見た状態を示す。
【図２】ベース編地の開き部が、一方の針床の中央部に位置するときの、実施例１に係る編成工程図である。
【図３】実施例１の編成方法で得られたベース編地の開き部近傍を示す拡大写真である。
【図４】ベース編地の開き部が、前後の針床の間に位置するときの、実施例２に係る編成工程図である。
【図５】ベース編地の開き部が、前後の針床の間に位置するときの、実施例３に係る編成工程図である。
【符号の説明】
【００８３】
１  セーター
２  前身頃
２４  右前身頃
２５  左前身頃
３  後身頃
４  右袖
５  左袖
６  第一給糸口
７  第二給糸口
９  開き部
【図１】
2008261074.tif 000003
【図２】
2008261074.tif 000004
【図３】
2008261074.tif 000005
【図４】
2008261074.tif 000006
【図５】
2008261074.tif 000007